(57)【要約】【課題】スライドシートに接続するワイヤハーネスの配索装置の設置を容易にする。【解決手段】スライドシートに配索するワイヤハーネスを保持固定するハーネスボードと、該ハーネスボードに被せて結合する電線余長吸収機能付きの蓋を備え、前記ハーネスボードと前記蓋のいずれか一方にスライドシートへの固定部を設け、前記蓋は前記ワイヤハーネスをターンさせて挿通する電線余長収容部と、該電線余長収容部の入口と連通して前記ワイヤハーネスを摺動自在に挿通するハーネスレール部を備え、前記電線余長収容部から引き出す前記ワイヤハーネスを前記ハーネスボートに位置決め固定した後に前記スライドシート内へ配線できるようにする一方、前記蓋のハーネスレール部から引き出す前記ワイヤハーネスをフロアハーネスとコネクタ接続できる構成としている。【選択図】図２
2014166008.tif 000002
【特許請求の範囲】
【請求項１】
スライドシートに配索するワイヤハーネスを保持固定するハーネスボードと、該ハーネスボードに被せて結合する電線余長吸収機能付きの蓋を備え、前記ハーネスボードと前記蓋のいずれか一方にスライドシートへの固定部を設け、
前記蓋は、前記ワイヤハーネスをターンさせて挿通する電線余長収容部と、該電線余長収容部の入口と連通して前記ワイヤハーネスを摺動自在に挿通するハーネスレール部を備え、
前記電線余長収容部から引き出す前記ワイヤハーネスを前記ハーネスボートに位置決め固定した後に前記スライドシート内へ配線できるようにする一方、前記蓋のハーネスレール部から引き出す前記ワイヤハーネスをフロアハーネスとコネクタ接続できる構成としていることを特徴とするスライドシートへのワイヤハーネスの配索装置。
【請求項２】
前記ハーネスボードおよび電線余長吸収機能付きの蓋はいずれも樹脂成型品からなり、前記蓋はハーネスボードの全面または部分的に被せ、前記ハーネスボードと蓋とに互いに結合する手段を設けている請求項１に記載のスライドシートへのワイヤハーネスの配索装置。
【請求項３】
前記蓋には、その上板部の内面または外面からＵ字状の周壁部を突設し、該周壁部の先端を屈折させて保持板部を設け、該保持板部と前記上板部との間にワイヤハーネスをＵ字状にターンさせて摺動自在に挿通するハーネス挿通路を設けた前記電線余長収容部と、
前記ハーネス挿通路の一端に設けた前記入口に前記ハーネスレール部を連続させて設け、該ハーネスレール部は直線状に延在し、その長さ方向全長にハーネス嵌合溝を備えると共に該ハーネス嵌合溝の底部にワイヤハーネスをフロア側へ引き出すハーネス引出開口を設けている請求項１または請求項２に記載のスライドシートへのワイヤハーネスの配索装置。
【請求項４】
前記蓋の前記ハーネスレール部からフロア側へ引き出すシートハーネスは、その引出部分を長くして束ねておくと共に端末に接続したコネクタを前記蓋またはハーネスボードに設ける仮止め手段で仮止めしておく一方、フロアハーネス側のコネクタは、作業員に踏まれない位置に固定した待ち受けコネクタとしている請求項１乃至請求項３のいずれか１項に記載のスライドシートへのワイヤハーネスの配索装置。
【請求項５】
前記蓋の前記電線余長収容部および前記ハーネスレール部に収容するワイヤハーネスにキャタピラ型のプロテクタを外装しており、
前記プロテクタは、帯状の平板に長さ方向に延在すると共に幅方向に間隔をあけて設けた複数本の折曲ラインを折り曲げて筒状とすると共に、長さ方向に間隔をあけて幅方向に切り込みを入れて一辺を連続させると共に他辺を分離し、一方側には屈曲するが他方側には屈曲しない状態で連結している請求項１乃至請求項４のいずれか１項に記載のスライドシートへのワイヤハーネスの配索装置。
【発明の詳細な説明】
【技術分野】
【０００１】
本発明はスライドシート用のワイヤハーネス配索装置に関するものである。
【背景技術】
【０００２】
自動車のシートには電動リクライニング装置やシートヒータなど種々の電装品が装備されており、これらの電装品に給電するために、車体フロアからシートに給電用のワイヤハーネスが配索されている。スライドシートの場合には、ワイヤハーネスをシートのスライド動作に追従させる必要があり、そのためワイヤハーネスに余長部を持たせて配索している。
【０００３】
この種のスライドシートへのワイヤハーネスの接続構造として、従来、特開２００７−３１８９１２号公報において、図９（Ａ）（Ｂ）（Ｃ）に示すように、スライドシート１００のシート１０１の裏面（下面）に余長吸収機能のケース１１０が固定された構成が開示されている。該ケース１１０内に配索されるワイヤハーネス２００はケースに設けた開口１１１から引き出されてフロアの車体側固定部２０１で固定されてフロアハーネスと接続される一方、ケース１１０の開口１１２から引き出されてシート側固定部２０２で固定され、シート１０１の内部へ配索されている。
【０００４】
前記余長吸収機能のケース１１０は図９（Ｃ）に示すように、ケース本体１１０ａに蓋１１０ｂをかぶせ、内部空間１１０ｉに円形ガイド１１５とバネ１１６が設置されている。該ケース１１０の内部にワイヤハーネス２００の中間部を挿通し、スライドシートの移動に応じてケース内部でワイヤハーネス２００が出入し、Ｕ形状に迂回するワイヤハーネスの長さを調節して追従させている。なお、ケース１１０のシート裏面への固定機構、該ケース１１０から引き出されたワイヤハーネスのシート側固定部２０２への固定機構、ケース１１０の開口１１１、１１２から引き出されたワイヤハーネスの配線については具体的な記載はない。
【先行技術文献】
【特許文献】
【０００５】
【特許文献１】特開２００７−３１８９１２号公報
【発明の概要】
【発明が解決しようとする課題】
【０００６】
前記特許文献１に記載されたワイヤハーネスの接続構造では、シートの裏面側に余長吸収機能のケース１１０と、該ケース１１０から引き出されるワイヤハーネス２００をシートに固定するシート側固定部２０２が別位置に設けられているため、これらを個別にシートに固定する作業が必要となり、車両への組付作業性が悪い問題がある。かつ、余長吸収機能のケース１１０は本体、蓋および内部に収容するバネ、円形ガイドが必要であり、部品点数が多くコスト高になる問題がある。さらに、ケース１１０内にワイヤハーネスをＵ形状に配線して余長を吸収しているだけであるため、スライドシートの移動長さが大となるとケース１１０の長さを延ばして大型化する必要があり、設置スペースが大きくなる問題がある。
【０００７】
また、ワイヤハーネス２００のフロアの車体側固定部２０１ではフロアハーネスとコネクタ接続されていると解される。その際、通常、フロアハーネスの幹線から分岐したシート行きの枝線の端末にコネクタが接続され、スライドシートが車両に搭載された後に、前記枝線がスライドシート側へ延ばされて配線され、端末のコネクタがシート側ワイヤハーネスのコネクタと接続される。スライドシートが車体に組みつけられ、シート側ワイヤハーネスのコネクタとフロアハーネス側のコネクタとが接続がされるまでの期間、フロアハーネス側のコネクタは、組立作業者に踏まれて損壊する恐れがある。よって、従来は、フロアハーネスのシート行きの枝線端末のコネクタを踏まれない箇所に一時的にテープ止めしており、作業手数がかかると共に、破棄するテープが車両に残りやすい問題がある。
【０００８】
本発明は前記問題に鑑みてなされたもので、スライドシートへ配索する給電用のワイヤハーネスの余長吸収部材と該ワイヤハーネスのスライドシートへの固定材とを同時にスライドシートに取り付けることが出来るようにして、スライドシートへのワイヤハーネスの取付作業性を改善することを主たる課題としている。
また、フロアハーネス側コネクタとの接続前に、該コネクタが作業員に踏まれないように接続作業性を改善し、さらに、部品点数を削減および余長吸収量をケースを大型化することなく増大可能とすることを課題としている。
【課題を解決するための手段】
【０００９】
前記課題を解決するため、本発明は、スライドシートに配索するワイヤハーネスを保持固定するハーネスボードと、該ハーネスボードに被せて結合する電線余長吸収機能付きの蓋を備え、前記ハーネスボードと前記蓋のいずれか一方にスライドシートへの固定部を設け、
前記蓋は、前記ワイヤハーネスをターンさせて挿通する電線余長収容部と、該電線余長収容部の入口と連通して前記ワイヤハーネスを摺動自在に挿通するハーネスレール部を備え、
前記電線余長収容部から引き出す前記ワイヤハーネスを前記ハーネスボートに位置決め保持した後に前記スライドシート内へ配線できるようにする一方、前記蓋のハーネスレール部から引き出す前記ワイヤハーネスをフロアハーネスとコネクタ接続できる構成としているスライドシートへのワイヤハーネスの配索装置を提供している。
【００１０】
前記のように、本発明のワイヤハーネスの配索装置は、スライドシートに配索するワイヤハーネス（以下、シートハーネスと称す）を、ハーネスボードと蓋とに予め連続して挿通した状態で、該ハーネスボードと蓋とを結合して一体化しておき、該結合したハーネスボードまたは蓋のいずれか一方をスライドシートに固定すると、シートハーネスのスライドシートへの固定と電線余長吸収機能のスライドシートへの固定が同時にできる。このように、電線余長吸収機構とシートハーネスとをそれぞれスライドシートに取り付ける必要はなく、一度の取付作業で済むため、シートハーネスの車両組付作業性を改善できる。かつ、スライドシートへの設置スペースを減少できる。
【００１１】
前記ハーネスボードおよび電線余長吸収機能付きの蓋はいずれも樹脂成型品からなり、前記蓋はハーネスボードの下面または上面に全面的または部分的に被せ、該ハーネスボードと蓋とに互いに結合する手段を設けている
【００１２】
前記ハーネスボードと電線余長吸収機能付きの蓋とからなるワイヤハーネスの配索装置はシートフレームの下面、側面あるいは背面にボルト固定、あるいは前記ハーネスボードまたは前記蓋に設けるクランプを前記スライドシートのシートフレームに設ける取付穴に挿入係止して固定することが好ましい。該クランプをハーネスボードまたは蓋と一体的に設けてもよいし、別体のクランプを取り付けてもよく、スライドシートへの固定手段は限定されない。
【００１３】
前記蓋の電線余長収容部およびハーネスレール部にシートハーネスを摺動自在に挿通した後に、ハーネスボードと蓋とを結合している。該結合手段はハーネスボードと蓋にそれぞれ設けたロック部と被ロック部とから構成してもよい。あるいは、ハーネスボードからボルト穴付き支柱を突設する一方、蓋に設けるボルト穴を連通させてボルトを通して締結してもよく、結合手段は限定されないい。
【００１４】
前記蓋に設ける電線余長収容部およびハーネスレール部は、蓋の内面側または外面側に設けている。
前記蓋には、その基板（上板部または下板部）からＵ字状の周壁部を突設し、該周壁部の先端を屈折させて保持板部を設け、該保持板部と前記基板との間にワイヤハーネスをＵ字状にターンさせて摺動自在に挿通するハーネス挿通路を設けた前記電線余長収容部と、  前記ハーネス挿通路の一端に設けた前記入口に前記ハーネスレール部を連続させて設け、該ハーネスレール部は直線状に延在し、その長さ方向全長にハーネス嵌合溝を備えると共に該ハーネス嵌合溝の底面にハーネス引出口を備え、該ハーネス引出口からワイヤハーネスをフロア側へ引き出す構成としていることが好ましい。
【００１５】
前記のように、蓋に設ける前記電線余長収容部は周壁部の突出端から折り返して保持板部を設けているため、電線余長収容部自体の蓋を不要にでき、その結果、蓋が設けられないハーネスレール部と前記電線余長収容部を一体的に成形できる。かつ、該電線余長収容部とハーネスレール部を備えた蓋として、前記ハーネスボードに被せても嵩高にならず小型化できる。
【００１６】
前記蓋は、シートハーネスをＵ字状に迂回させる略長円形状の前記電線余長収容部の長辺の一周壁に沿って、直線状とするハーネスレール部を平行に設け、全体形状を略Ｊ形状としている。あるいは、前記電線余長収容部の長辺と直交方向に延在させてハーネスレール部を設け、全体形状を略Ｌ形状としている。いずれの場合もハーネスレール部を長くすると、電線余長を長くでき、スライドシートのスライド量が長い場合に対応できる。このように、前記蓋をＪ字状またはＬ字状とすると前記ハーネスボードの一部に蓋を被せることとなる。
一方、蓋の基板の形状を前記ハーネスボードの全面に被せる形状とし、該基板に前記Ｊ字状またはＬ字状に前記電線余長収容部と前記ハーネスレール部を突設してもよい。  
【００１７】
また、前記ハーネスレール部からフロア側へ引き出すシートハーネスは、その引出部分を長くして束ねておくと共に端末に接続したコネクタを前記蓋またはハーネスボードに設ける仮止め手段で仮止めしておく一方、フロアハーネス側のコネクタは、作業員に踏まれない位置に固定した待ち受けコネクタとすることが好ましい。
前記構成とすると、フロアハーネス側のコネクタが、シートハーネス側のコネクタと接続する前の損傷防止対策を施す必要はなく、該コネクタの仮テープ止め等の作業を不要にできる。
【００１８】
前記電線余長収容部のハーネス挿通路およびハーネスレール部のハーネス嵌合溝に摺動自在に挿通するシートハーネスはキャタピラ型のプロテクタで外装し、
前記プロテクタは、帯状の平板に長さ方向に延在すると共に幅方向に間隔をあけて設けた複数本の折曲ラインを折り曲げて筒状とすると共に、長さ方向に間隔をあけて幅方向に切り込みを入れて一辺を連続させると共に他辺を分離し、一方側には屈曲するが他方側には屈曲しない状態で連結していることが好ましい。
【００１９】
前記キャタピラ型のプロテクタは、四角筒状等の本体に長さ方向に間隔をあけて切り込みを入れて、前記のように、一方側には屈曲するが他方側には屈曲しないキャタピラ型としている。
前記四角筒状のキャタピラ型のプロテクタは、帯状の平板に長さ方向に延在する４本の折曲ラインを幅方向の中間部に間隔をあけて設け、かつ、該幅方向の両側縁の一方側に係止突片を突設すると共に他方側に前記係止突片を挿入係止する係止穴を設け、前記折曲ラインに沿って折り曲げて四角筒形状とすると共に係止突片を係止穴に挿入係止して四角筒状を保持し、さらに、前記４本の折曲ラインを結ぶ幅方向の切込ラインを長さ方向に間隔をあけて設けて四角筒の３辺を分離して折り曲げ自在に連結された形状としていることが好ましい。
【００２０】
前記電線余長収容部およびハーネスレール部を挿通するワイヤハーネスに前記四角筒状のキャタピラ型のプロテクタを外装した場合、電線余長収容部の上板部と保持板部との間の空間の高さは前記プロテクタの高さに相当させ、ガタツキなく摺動できるようにし、かつ、該プロテクタの屈曲側は周壁部に沿わせ、電線余長収容部の内部側は屈曲できない側とし、電線余長収容部内で蛇行しないようにしている。
【発明の効果】
【００２１】
前記のように、本発明では、シートハーネスを保持固定してスライドシートに固定するハーネスボードを設け、該ハーネスボードに電線余長収容部とハーネスレール部とからなる電線余長吸収機構を備えた蓋を被せて結合しているため、スライドシートへのシートハーネスの固定と電線余長吸収機構の固定を一度に一括して行うことができる。よって、従来のように、シートハーネスと電線余長吸収ケースとを別々にスライドシートに固定する必要はなく、組付作業性を大幅に改善できる。また、電線余長吸収をＵ字状に迂回させる電線余長収容部にハーネスレール部を加えて行っているため、電線余長吸収量を長くでき、スライドシートのスライド量が長くなっても対応できる。
かつ、装置全体の部品点数の削減、小型化ができ、スライドシートへの設置スペースを減少できる。さらに、フロアハーネス側を待ち受けコネクタとして、前記蓋のハーネスレール部の先端から引き出すシートハーネスを長くして仮止めしておくと、フロアハーネス側のコネクタが組立作業員に踏まれないようにオプションテープ止め等の対策を講じておく必要がない。
【図面の簡単な説明】
【００２２】
【図１】本発明のワイヤハーネスの配索装置の実施形態を示す概略側面図である。
【図２】前記配索装置を示し、（Ａ）は正面図、（Ｂ）は（Ａ）の蓋の平面図である。
【図３】前記蓋を示し、（Ａ）は斜視図、（Ｂ）は平面図、（Ｃ）はハーネスレール部の断面図である。
【図４】シートハーネスとフロアハーネスとの接続部を示す斜視図である。
【図５】前記配索装置のハーネスボード上のシートハーネスの配線状態を示す概略図である。
【図６】シートハーネスに外装するプロテクタを示し、（Ａ）は斜視図、（Ｂ）はプロテクタの展開図、（Ｃ）はプロテクタの一部断面図である。
【図７】（Ａ）（Ｂ）はスライドシートの移動に追従するシートハーネスの動きを説明する図面である。
【図８】（Ａ）〜（Ｃ）は蓋の変形例を示す斜視図である。
【図９】（Ａ）〜（Ｃ）は従来例を示す図面である。
【発明を実施するための形態】
【００２３】
以下、本発明の実施形態を図面を参照して説明する。
図１乃至図７に本発明の実施形態を示す。
図１に示すように、自動車に搭載するスライドシート１に装着した電装品（図示せず）に給電するワイヤハーネス（以下、シートハーネス５と称す）を、フロアパネル２に配索したフロアハーネス５０とコネクタ接続して配索している。該シートハーネス５をスライドシート１のシート下面に固定した図２、３に示す配索装置３を通してスライドシート１内に配線している。
【００２４】
前記配索装置３はハーネスボード６と、該ハーネスボード６の下面を覆うように取り付ける電線余長吸収機能付きの蓋７とからなる。ハーネスボード６は基板１６の下面にシートハーネス５を配索して固定している。該基板１６の下面と空間をあけて対向させて取り付ける蓋７は、その基板１０の上面に電線余長収容部８とハーネスレール部９とを連続的に突設している。
【００２５】
前記蓋７のハーネスレール部９および電線余長収容部８を通したシートハーネス５をハーネスボード６上で保持固定し、該ハーネスボード６に蓋７を被せて結合している。このように一体化した状態で、スライドシート１のシートの下面に固定し、ハーネスボード６に固定したシートハーネス５をシート内に配線している。詳細には、図５に示すように、ハーネスボード６の周縁からブラケット６ｂを突設し、該ブラケット６ｂをスライドシート１のシートフレームの下面に突き当ててボルト締結している。
なお、ボルト締結に代えて、ハーネスボードからクランプを突設し、シートフレームに設けた係止穴に挿入係止して、クランプ結合してもよい。
【００２６】
前記ハーネスボード６および電線余長吸収機能付きの蓋７はいずれも樹脂成型品からなる。ハーネスボード６は略長方形状の基板１６を備える一方、蓋７は略Ｌ形状で、長方形状の基板１６の下面に一部を被せている。ハーネスボード６と蓋７とを結合するため、図２（Ａ）に示すように、ハーネスボード６の基板１６の下面から支柱６ｈを下向きに突設し、その先端に設けるボルト穴を開口させ、蓋７の基板１０に設けるボルト穴１０ｂから支柱６ｈのボルト穴にボルトを通して固定できるようにしている。なお、該固定手段は限定されず、互いに結合されるロック片と被ロック片を突設して結合してもよい。
【００２７】
蓋７の基板１０は略Ｌ形状で、自動車の幅方向に延在させる長円形状の部分を電線余長収容部８とし、該電線余長収容部８の幅方向の一端から自動車の長さ前方に延在する直線部分をハーネスレール部９としている。
【００２８】
前記電線余長収容部８では上板部となる基板１０の上面（内面）から外周縁に沿ってＵ字状に周壁部１１を上向きに突設している。周壁部１１の先端を屈折させて保持板部１２を設け、該保持板部１２と基板１０との間にシートハーネス５をＵ字状にターンさせて摺動自在に挿通するハーネス挿通路１３を設けている。該ハーネス挿通路１３の一方の長辺側の一端に前記ハーネスレール部９と連通する入口１４を設けている。
なお、基板１０の下面（外面）に周壁部１１を下向きに突設し、外面側に電線余長収容部８を設けてもよい。
【００２９】
前記入口１４に連続させたハーネスレール部９は長さ方向全長に上面開口のハーネス嵌合溝２０を設けると共に該ハーネス嵌合溝２０の底部にハーネス引出開口２１を設け、該ハーネス引出開口２１からシートハーネス５をフロア側に引き出している。本実施形態のスライドシート１のスライド量は一般的な２４０〜３００ｍｍ程度とし、ハーネスレール部９の長さと電線余長収容部８内でＵターンする長さとの合計でシートハーネス５の余長寸法を吸収できるようにしている。
【００３０】
前記ハーネスレール部９から引き出すシートハーネス５は比較的長尺とし、その先端にフロアハーネス５０との接続用のコネクタ２４を取り付けている。該コネクタ２４をフロアハーネス５０側のコネクタ５１と接続するまでは、図３（Ｂ）に示すように仮巻き材２９にシートハーネス５を巻き付けている。なお、仮巻き材を設けずに、シートハーネス５を束ねて垂れさがらないようにしておいてもよい。
一方、前記シートハーネス５のコネクタ２４と接続するフロアハーネス５０側のコネクタ５１は図４に示すように、作業員が足踏みできない箇所（フロアトンネルの側面）に待ち受けで固定しており、フロアの水平面上に位置させていない。これにより、該コネクタ５１が損傷を受けないようにするオプションテープ巻き等の対策を不要としている。
【００３１】
前記蓋７を下部に被せるハーネスボード６の基板１６の下面でシートハーネス５を配索固定している。詳細には、図５に示すように、蓋７の電線余長収容部８から引き出されるシートハーネス５を４つに分岐している。第１枝線５Ａにジョイントコネクタ２５Ａを接続し、該ジョイントコネクタ２５Ａを基板１６上に位置決め保持している。第２枝線５Ｂにコネクタ２５Ｂを接続し、基板１６上で前記ジョイントコネクタ２５Ａと並列した位置に位置決め保持している。第３枝線５Ｃと第４枝線５Ｄは基板１６上で他方側へと延在させ、クリップ付きバンド２６Ａ、２６Ｂを締結し、これらバンドのクリップを基板１６に設けた係止穴に挿入係止して位置決め保持している。このように、スライドシート１の内部へ配線するシートハーネス５の分岐した枝線５Ａ〜５Ｄをそれぞれハーネスボード６に位置決め固定している。
【００３２】
前記蓋７の電線余長収容部８およびハーネスレール部９に摺動自在に配線するシートハーネス５に、図６（Ａ）に示す四角筒状のキャタピラ型のプロテクタ３０を外装している。該プロテクタ３０は図６（Ｂ）に示す帯状の連続した長尺材からなる平板４０を折り曲げて組み立てている。平板４０には、長さ方向Ｘに延在する４本の折曲ライン４１、４２、４３、４４を幅方向Ｙの中間部に間隔をあけて設け、平板４０を幅方向に５個の辺Ｓ１〜Ｓ５に区画し、折曲ライン４１〜４４を直角に折り曲げ、幅方向の両側辺Ｓ１とＳ５を重ねることで図６（Ａ）に示すように、四角筒状に組み立てている。
【００３３】
また、平板４０の幅方向の両側の一方側の辺Ｓ１の側縁に係止突片４５を長さ方向Ｘに間隔をあけて突設している。該係止突片４５は円弧状の突出部の根元両側に切込４５ａを設け、両側に係止辺４５ｂが突出する形状としている。平板４０の他方側の辺Ｓ５に係止突片４５を挿入係止する細長い係止穴４６を設けている。該係止穴４６の長さ方向両端に切込４６ａを設け、その先端に小径穴４６ｃを設けている。前記切込４６ａに係止辺４５ｂがかかるようにし、かつ、小径穴４６ｃで切込４６ａの先端から亀裂が生じないようにしている。平板４０を折曲ライン４１〜４４に沿って折り曲げ、辺Ｓ１とＳ５を重ねた状態で係止突片４５を係止穴４６に挿入係止することで、四角筒形状を保持できるようにしている。
【００３４】
平板４０には前記４本の折曲ライン４１〜４４を結ぶ幅方向Ｙの切込ライン４８を長さ方向Ｘに間隔をあけて設け、辺Ｓ２、Ｓ３、Ｓ４を分離している。該切込ライン４８の両端、すなわち、折曲ライン４１および４４と接する位置には小径穴４８ａを連続して設け、先端からの亀裂発生を防止している。さらに、切込ライン４８の中央部で辺Ｓ３の中央位置に直線を湾曲させた円弧状の切込４９を設け、長さ方向に隣接する一方側を円弧状に突出させ、他方を円弧状に窪ませ、凹凸嵌合部を設けている。
平板４０に設ける折曲ライン４１〜４４は、図３（Ｃ）に示すように、板厚の１／３程度を切削して断面円弧状のラインとしている。前記切込ライン４８、係止穴４６、係止突片４５はすべて平板を打抜いて形成している。よって、平板４０を成形した後に、打抜加工、切削加工で形成している。
【００３５】
前記プロテクタ３０は予め折曲ライン４１〜４４を折り曲げる一方、係止突片４５は係止穴４６に挿入せず、開いた状態でシートハーネス５の電線群を折り曲げたプロテクタ３０の両側辺Ｓ１とＳ５の間の開口から挿入する。この電線群の挿入後に辺Ｓ１とＳ５を重ね、係止突片４５を係止穴４６に挿入係止し、電線群を四角筒の中に挿入した状態で外装する。
前記プロテクタ３０は四角筒の３辺Ｓ２、Ｓ３、Ｓ４が切込ライン４８で長さ方向で分離され、重ねて係止した辺Ｓ１とＳ５が長さ方向で屈曲自在に連結された構成となり、かつ、分離された辺Ｓ３は、隣接する辺Ｓ３同士が円弧状切込で凹凸嵌合する状態となる。即ち、短尺な四角筒が屈曲自在に長さ方向に順次連結し、かつ、隣接する四角筒同士を凹凸嵌合させているため幅方向にずれない、キャタピラ状のプロテクタとなる。該プロテクタ３０は屈曲自在な辺Ｓ３を周壁部１１の内面に添わせ、対向する幅方向にずれない辺Ｓ１とＳ５を電線余長収容部８の内側に配置している。
【００３６】
前記キャタピラ型のプロテクタ３０を用い、電線余長収容部８内でプロテクタ３０の下辺を基板１０に摺動自在に搭載し、上面を保持板部１２の下面に添わせていることでガタつき無く摺動自在に収容できる。また、ハーネスレール部９ではハーネス嵌合溝２０内にプロテクタ３０を摺動自在に内嵌する形状としているため、ガタつき無く摺動させることができる。
【００３７】
図７に、スライドシート１のスライド動作に追従するシートハーネス５の動きを示す。図７（Ａ）はスライドシート１が前方に位置する状態を示し、電線余長収容部８内にシートハーネス５が巻き込まれて余長が吸収されている。スライドシート１が後退すると、図７（Ｂ）に示すように、電線余長収容部８からシートハーネス５がハーネスレール部９側へ引き出され、ハーネスレール部９側でシートハーネス５が前進移動して余長部分を吸収する。
このように、スライドシート１のスライドに応じたシートハーネス５の余長吸収機能を、スライドシート１に固定した配索装置３の電線余長収容部８と、ハーネスレール部９とに分担させている。これにより、ハーネスレール部９から引き出すシートハーネス５をフロア側で更に移動させる必要がなく、フロアハーネスと接続できる。よって、フロア側に電線余長吸収装置を設置する必要がなくなる。
【００３８】
本発明の配索装置３では、シートハーネス５のシート側固定部として機能させるハーネスボード６と電線余長吸収機能を備える蓋７とを結合しているため、該配索装置３をスライドシート１に固定するだけでよく、組付作業性を向上できる。
また、電線余長吸収はＵ字状に迂回させる電線余長収容部８にハーネスレール部９を加えて行っているため、電線余長吸収量を長くでき、スライドシートのスライド量が長くなっても対応できる。
かつ、ハーネスボード６、蓋７は樹脂成形品のみからなり、バネやガイド材等の付属部品を必要としないため、装置全体の部品点数の削減、小型化ができ、スライドシートへの設置スペースを減少できる。さらに、フロアハーネス５０側のコネクタ５１を待ち受けコネクタとして、蓋７のハーネスレール部９の先端から引き出すシートハーネス５を長くして仮止めしておくと、フロアハーネス側のコネクタ５１が組立作業員に踏まれないようにオプションテープ止め等の対策を講じておく必要がない。
【００３９】
本発明の電線余長収容部８とハーネスレール部９とを一体成形した蓋７は前記実施形態に限定されず、図８（Ａ）〜（Ｃ）に示す構造としてもよい。
図８（Ａ）に示す第１変形例では、ハーネスレール部９を電線余長収容部８の長辺に沿って延在させ、全体をＪ形状としている。他の構成は前記実施形態と同様であるため説明を省略する。
【００４０】
図８（Ｂ）に第２変形例の蓋７を示す。
該第２変形例は第１実施形態と同様なＬ形状としているが、電線余長収容部８の周壁部１１は保持板部１２を突設した部分だけ設け、保持板部を設けていない部分は周壁無し部分としている。該構成とすると樹脂量を減少して軽量化を図ることができ、スライドシート１に固定する場合に、スライドシートの重量増加を抑えることができる。他の構成は第１変形例と同様であるため説明を省略する。
【００４１】
図８（Ｃ）に第３変形例の蓋７示す。
該第３変形例の蓋７は保持板部を間隔をあけて設けず、周壁部１１の全長にわたって連続保持板部を設けている。他の構成は第１、第２変形例と同様であるため説明を省略する。
【００４２】
なお、蓋７の基板１０はハーネスボード６の全体を覆う長方形状とし、該基板に電線余長収容部およびハーネスレール部をＬ字状またはＪ字状に突設して設けている。
【００４３】
本発明は前記実施形態に限定されず、ハーネスボードを下側、蓋７を上側として結合してスライドシートに固定してもよい。また、スライドシートのシート下面に配索装置３を固定せずに、シート側面または背面に配索装置３を固定してもよい。
さらに、スライドシートのスライド寸法が４００〜１２００ｍｍ程度のロングスライドシートである場合には、前記配索装置３をスライドシートに固定すると共に、シートレールの側方のフロアに第二余長吸収部材を設置し、配索装置３のハーネスレール部から引き出すシートハーネスを前記第二余長吸収部材に通して、ワイヤハーネスの余長吸収量を増加して対応させることができる。
【符号の説明】
【００４４】
１  スライドシート
３  配索装置
５  ワイヤハーネス（シートハーネス）
６  ハーネスボード
７  蓋
８  電線余長収容部
９  ハーネスレール部
３０  キャタピラ型のプロテクタ
【図１】
2014166008.tif 000003
【図２】
2014166008.tif 000004
【図３】
2014166008.tif 000005
【図４】
2014166008.tif 000006
【図５】
2014166008.tif 000007
【図６】
2014166008.tif 000008
【図７】
2014166008.tif 000009
【図８】
2014166008.tif 000010
【図９】
2014166008.tif 000011